(57)【特許請求の範囲】
【請求項１】
内容物が収容される容器本体の口部に、上方付勢状態で下方移動可能に配設されるステムと、
前記ステムに連係された操作部材と、
前記容器本体の口部に装着され、前記ステムを上下動可能に収容すると共に、前記ステムの下方移動に伴う前記ステムからの内容物を貯留する貯留シリンダと、
前記貯留シリンダに連結されると共に、前記貯留シリンダ内に連通し、且つその先端に内容物を吐出する吐出孔が形成されたノズル筒と、
前記ステムに連係して上下動すると共に、前記貯留シリンダ内に上下摺動可能に配設された吐出ピストンと、
前記容器本体の口部の内側に配設された液用シリンダと、
前記液用シリンダ内に上下摺動可能に配設され、前記ステムの下方移動に伴って前記液用シリンダ内の内容物を前記ステム内に供給する液用ピストンと、を備え、
前記液用ピストンは、前記ステムに一体に組み合わされることで、前記ステムに連係して上下動し、
前記ステムは、前記貯留シリンダ内及び前記液用シリンダ内に配設され、前記操作部材の押し下げ操作に伴って下方移動可能とされている、吐出器。
【請求項２】
請求項１に記載の吐出器において、
前記貯留シリンダの内容積のうち前記吐出ピストンの下方移動に伴って増加する増加容積は、前記液用シリンダの内容積のうち前記液用ピストンの下方移動に伴って減少する容積分以上の容積とされている吐出器。
【請求項３】
請求項１に記載の吐出器において、
前記ステムに連係する空気用ピストンが内部に上下摺動自在に収容された空気用シリンダを備え、
前記ステムには、
前記液用シリンダから供給される内容物と前記空気用シリンダから供給される空気とを混合する気液混合室と、
前記気液混合室で混合された気液混合体を発泡させて内容物を泡状にした状態で、前記貯留シリンダ内に供給させる発泡部材と、が設けられている吐出器。
【請求項４】
請求項３に記載の吐出器において、
前記貯留シリンダの内容積のうち前記吐出ピストンの下方移動に伴って増加する増加容積は、前記空気用シリンダの内容積のうち前記空気用ピストンの下方移動に伴って減少する容積分以上の容積とされている吐出器。
【発明の詳細な説明】
【技術分野】
【０００１】
本発明は、吐出器に関する。
【背景技術】
【０００２】
従来から、例えば下記特許文献１に示されるように、容器本体の口部に装着される有頂筒状の装着キャップと、装着キャップに上方付勢状態で下方移動可能に貫設されたステムを有するポンプと、ステムの上端部に装着されると共に吐出孔が形成された押下ヘッドと、を備えた吐出器が知られている。
上記ポンプは、ステムに連係して上下動するピストンと、ピストンが上下摺動可能に嵌合されたシリンダと、シリンダの下端開口を開閉する下部弁体と、を主に備えている。
【０００３】
このように構成された吐出器では、押下ヘッドの押下によりステムを下方に移動させることで、シリンダに対してピストンを下降させることができる。これにより、シリンダ内の内容物をステム内に流入させた後、吐出孔を通じて外部に吐出することができる。
【先行技術文献】
【特許文献】
【０００４】
【特許文献１】特開２０１２−２３２２２８号公報
【発明の概要】
【発明が解決しようとする課題】
【０００５】
しかしながら、上記従来の吐出器では、押下ヘッドの押下時に内容物が吐出されるので、例えば手の平に内容物を吐出する場合には、片手（押下ヘッドを押下している手とは反対の手）で内容物を受け取ることになり、両手で受け取ることが難しかった。
また、何らかの理由によって片手が塞がっている場合（子供を抱いている場合等）には、もう一方の片手で押下ヘッドを押下できたとしても、吐出された内容物をその手で受け取ることが難しい。
【０００６】
本発明は、このような事情に鑑みてなされたものであって、その目的は、吐出された内容物を両手で受け取ることができるうえ、内容物の吐出操作、及び吐出された内容物の受け取りを片手だけで行うことができる吐出器を提供することである。
【課題を解決するための手段】
【０００７】
（１）本発明に係る吐出器は、内容物が収容される容器本体の口部に、上方付勢状態で下方移動可能に配設されるステムと、前記ステムに連係された操作部材と、前記容器本体の口部に装着され、前記ステムを上下動可能に収容すると共に、前記ステムの下方移動に伴う前記ステムからの内容物を貯留する貯留シリンダと、前記貯留シリンダに連結されると共に、前記貯留シリンダ内に連通し、且つその先端に内容物を吐出する吐出孔が形成されたノズル筒と、前記ステムに連係して上下動すると共に、前記貯留シリンダ内に上下摺動可能に配設された吐出ピストンと、前記容器本体の口部の内側に配設された液用シリンダと、前記液用シリンダ内に上下摺動可能に配設され、前記ステムの下方移動に伴って前記液用シリンダ内の内容物を前記ステム内に供給する液用ピストンと、を備え、前記液用ピストンは、前記ステムに一体に組み合わされることで、前記ステムに連係して上下動し、前記ステムは、前記貯留シリンダ内及び前記液用シリンダ内に配設され、前記操作部材の押し下げ操作に伴って下方移動可能とされている。
【０００８】
本発明によれば、貯留シリンダに対してステムを下方移動させることで、吐出ピストンを貯留シリンダ内で下方移動させることができると共に、ステムからの内容物を貯留シリンダ内に一旦貯留することができる。その後、ステムの下方移動を解除すると、ステムは上方付勢力によって上方に復元移動する。そのため、吐出ピストンは、ステムの復元移動に伴って貯留シリンダ内を上方移動し、貯留シリンダ内に貯留された内容物を貯留シリンダ内から押し出すようにノズル筒内に供給する。これにより、吐出孔を通じて内容物を外部に吐出することができる。
【０００９】
このように、貯留シリンダ内に内容物を一旦貯留できるので、押下げ操作等によってステムを下方移動させたときに内容物が吐出されることを防止でき、その後、ステムを上方に復元移動させたときに内容物を吐出させることができる。
従って、吐出された内容物を、片手だけでなく両手で受け取ることができる。さらに、例えば片手が何等かの理由で塞がっている場合（例えば子供を抱いている場合や、荷物を持っている場合等）であっても、もう一方の片手だけで、内容物の吐出操作及び吐出された内容物の受け取りを行うことができる。従って、非常に使い易く、利便性を向上することができる。
【００１１】
さらに、貯留シリンダに対してステムを下方移動させると、ステムに連係して液用ピストンが液用シリンダ内を下方移動する。これにより、液用シリンダ内の内容物を、ステム内を通じて貯留シリンダ内に供給することができる。従って、一度の吐出操作で吐出される内容物の吐出量を、液用シリンダの内容積で規定し易く、例えば決まった量の内容物を吐出することが可能となる。
さらに、固定部材である貯留シリンダにノズル筒が連結されているので、吐出孔の位置を固定することができ、決まった位置から内容物を吐出することができる。従って、吐出された内容物を受け取り易く、使い易さを向上できる。
【００１２】
（２）前記貯留シリンダの内容積のうち前記吐出ピストンの下方移動に伴って増加する増加容積は、前記液用シリンダの内容積のうち前記液用ピストンの下方移動に伴って減少する容積分以上の容積とされても良い。
【００１３】
この場合には、ステムを下方移動させた際、貯留シリンダの内容積を超える量の内容物が貯留シリンダ内に供給されることを防止することができる。従って、ステムの下方移動時に、貯留シリンダ内に内容物を確実に貯留でき、貯留シリンダ内からノズル筒内に内容物が流入し難い。そのため、ステムの下方移動時に、内容物が吐出孔から漏れることを効果的に防止し易い。
【００１４】
（３）前記ステムに連係する空気用ピストンが内部に上下摺動自在に収容された空気用シリンダを備え、前記ステムには、前記液用シリンダから供給される内容物と前記空気用シリンダから供給される空気とを混合する気液混合室と、前記気液混合室で混合された気液混合体を発泡させて内容物を泡状にした状態で、前記貯留シリンダ内に供給させる発泡部材と、が設けられても良い。
【００１５】
この場合には、貯留シリンダに対してステムを下方移動させると、ステムに連係して液用ピストンが液用シリンダ内を下方移動すると共に、空気用ピストンが空気用シリンダ内を下方移動する。これにより、液用シリンダ内の内容物を気液混合室に供給できると共に、空気用シリンダ内の空気を気液混合室に供給することができる。そのため、気液混合室で内容物と空気とを混合させて気液混合体にすることができると共に、気液混合体を発泡部材で発泡させて泡状にした状態で、貯留シリンダ内に貯留することができる。
従って、その後にステムを上方に復元移動させることで、泡状の内容物を吐出することができる。特に、一度の吐出操作で吐出される泡状の内容物の吐出量を、液用シリンダの内容積及び空気用シリンダの内容積で規定し易く、例えば決まった量の泡状の内容物を吐出することが可能となる。
【００１６】
（４）前記貯留シリンダの内容積のうち前記吐出ピストンの下方移動に伴って増加する増加容積は、前記空気用シリンダの内容積のうち前記空気用ピストンの下方移動に伴って減少する容積分以上の容積とされても良い。
【００１７】
この場合には、ステムを下方移動させた際、貯留シリンダの内容積を超える量の空気が空気用シリンダから貯留シリンダ内に供給されることを防止することができる。従って、ステムの下方移動時に、貯留シリンダ内に泡状の内容物を確実に貯留でき、貯留シリンダ内からノズル筒内に泡状の内容物が流入し難い。そのため、ステムの下方移動時に、泡状の内容物が吐出孔から漏れることを効果的に防止し易い。
【発明の効果】
【００２０】
本発明に係る吐出器によれば、吐出された内容物を両手で受け取ることができるうえ、内容物の吐出操作、及び吐出された内容物の受け取りを片手だけで行うことができる。
【図面の簡単な説明】
【００２１】
【図１】本発明に係る吐出器の第１実施形態を示す縦断面図である。
【図２】図１に示す状態から、押下ヘッドを押し下げることでステムを最上昇位置から最下降位置まで下方移動させ、貯留シリンダ内に内容物を貯留した状態を示す縦断面図である。
【図３】図１に示す状態から、押下ヘッドを押し下げることでステムを最上昇位置から僅かに下方移動させ、液用シリンダ内と貯留シリンダ内とを連通させた状態を示す縦断面図である。
【図４】図２に示す状態から、押下ヘッドの押し下げを解除してステムを上方に復元移動させ、貯留シリンダ内に貯留された内容物を吐出している状態を示す縦断面図である。
【図５】本発明に係る吐出器の第２実施形態を示す縦断面図である。
【図６】図５に示す貯留シリンダの周辺を拡大した縦断面図である。
【図７】図６に示す状態から、押下ヘッドを押し下げることでステムを最上昇位置から最下降位置まで下方移動させ、貯留シリンダ内に泡状の内容物を貯留した状態を示す縦断面図である。
【図８】図６に示す状態から、押下ヘッドを押し下げることでステムを最上昇位置から僅かに下方移動させ、空気用シリンダ内と気液混合室内とを連通させ、且つ液用シリンダ内と気液混合室内とを連通させた状態を示す縦断面図である。
【図９】図７に示す状態から、押下ヘッドの押し下げを解除してステムを上方に復元移動させ、貯留シリンダ内に貯留された泡状の内容物を吐出している状態を示す縦断面図である。
【図１０】本発明に係る吐出器の第３実施形態を示す縦断面図である。
【図１１】図１０に示す状態から、押下ヘッドを押し下げることでステムを最上昇位置から最下降位置まで下方移動させ、貯留シリンダ内に内容物を貯留した状態を示す縦断面図である。
【図１２】図１１に示す状態から、押下ヘッドの押し下げを解除してステムを上方に復元移動させ、貯留シリンダ内に貯留された内容物を吐出している状態を示す縦断面図である。
【図１３】本発明に係る吐出器の第４実施形態を示す縦断面図である。
【図１４】図１３に示す状態から、押下ヘッドを押し下げることでステムを最上昇位置から最下降位置まで下方移動させ、貯留シリンダ内に内容物を貯留した状態を示す縦断面図である。
【図１５】図１４に示す状態から、押下ヘッドの押し下げを解除してステムを上方に復元移動させ、貯留シリンダ内に貯留された内容物を吐出している状態を示す縦断面図である。
【発明を実施するための形態】
【００２２】
（第１実施形態）
以下、本発明に係る吐出器の第１実施形態について図面を参照して説明する。
図１に示すように、本実施形態の吐出器１は、内容物が収容される容器本体Ａの口部Ａ１に装着される装着キャップ２と、容器本体Ａの口部Ａ１に上方付勢状態で下方移動可能に配設される筒状のステム３を有するポンプ（吐出機構）４と、ステム３に連係された押下ヘッド（操作部材）５と、を備えている。
【００２３】
なお、本実施形態では、吐出器１が装着される容器本体Ａにおける横断面の中央を通る中心軸を軸線Ｏといい、軸線Ｏに沿った押下ヘッド５側を上方、その反対側を下方という。また、軸線Ｏ方向から見た平面視で軸線Ｏに直交する方向を径方向といい、軸線Ｏ回りに周回する方向を周方向という。また、図１〜図４では、内容物をドット状のハッチングで図示している。
【００２４】
装着キャップ２は、環状の天壁部を有する有頂筒状に形成され、軸線Ｏと同軸に配置されると共に容器本体Ａの口部Ａ１に螺着されている。
なお、装着キャップ２の装着方法は、螺着に限定されるものではなく、例えばアンダーカット嵌合により容器本体Ａの口部Ａ１に装着されても構わない。
天壁部は、後述する液用シリンダ１４のフランジ部４１上に配置され、液用シリンダ１４の上方への抜けを防止している。
【００２５】
ポンプ４は、上記ステム３と、ステム３を上下動可能に収容すると共にステム３内に連通し、ステム３の下方移動に伴うステム３からの内容物を貯留する貯留シリンダ１０と、貯留シリンダ１０内に連通し、且つその先端に内容物を吐出する吐出孔１１が形成されたノズル筒１２と、貯留シリンダ１０内に上下摺動可能に配設された吐出ピストン１３と、ステム３を上下動可能に収容すると共にステム３内に連通した液用シリンダ１４と、ステム３に連係して上下動すると共に液用シリンダ１４内に上下摺動可能に配設された液用ピストン１５と、を備えている。
【００２６】
貯留シリンダ１０は、軸線Ｏと同軸に配設された筒状に形成され、装着キャップ２と一体に形成されている。
貯留シリンダ１０は、装着キャップ２における天壁部の内周縁部から上方に向けて延びた貯留筒部２０と、貯留筒部２０よりも上方に配置され、且つ貯留筒部２０よりも径が小さいガイド筒部２１と、貯留筒部２０の上端部とガイド筒部２１の下端部とを接続する環状の頂壁部２２と、を備えている。
【００２７】
貯留筒部２０と装着キャップ２の天壁部との接続部分には、貯留筒部２０の内部と外部とを連通する第１空気孔２３が形成されている。ガイド筒部２１は、内径がステム３の内径よりも小さくなるように形成され、その内側には押下ヘッド５の後述する連係筒部７１が上下動可能に挿通されている。
【００２８】
ガイド筒部２１と頂壁部２２との接続部分には、連係筒部７１の外周面に摺接する環状のシール部２４が下方に向けて突設されている。これにより、連係筒部７１とシール部２４との間は密にシールされている。
【００２９】
ノズル筒１２は、貯留シリンダ１０のガイド筒部２１に一体に形成された第１ノズル筒３０と、第１ノズル筒３０に連結された第２ノズル筒３１と、第２ノズル筒３１に連結された第３ノズル筒３２と、を備え、貯留シリンダ１０に連結されている。
【００３０】
第１ノズル筒３０は、ガイド筒部２１の外周面から径方向外側に向けて延びるように形成され、その一部は頂壁部２２に一体に形成されている。頂壁部２２のうち第１ノズル筒３０と一体に形成された部分には、頂壁部２２を上下に貫通する貫通孔２５が形成されている。これにより、貯留筒部２０内と第１ノズル筒３０内とは、貫通孔２５を通じて連通している。
第１ノズル筒３０は、装着キャップ２よりも径方向外側に突出しており、その先端部側は第１ノズル筒３０の他の部分よりも外径が小さい小径筒部３０ａとされている。
【００３１】
第２ノズル筒３１は、第１ノズル筒３０の小径筒部３０ａに外嵌されると共に、中間部分が下方に向けて略９０度の角度で折曲されている。第２ノズル筒３１の先端部側は、第２ノズル筒３１の他の部分よりも外径が小さい小径筒部３１ａとされている。
【００３２】
第３ノズル筒３２は、第２ノズル筒３１の小径筒部３１ａに外嵌されると共に、その先端には吐出孔１１が形成されている。図示の例では、吐出孔１１は縦断面視テーパー状に形成され、下方に向けて開口している。
第２ノズル筒３１内及び第３ノズル筒３２内には、軸線Ｏ方向に延びた円柱状の芯体３３が配設されている。芯体３３は、その外径が第２ノズル筒３１及び第３ノズル筒３２の内径よりも小さく形成されていると共に、吐出孔１１との間に若干の隙間をあけて配設されている。これにより、内容物は、芯体３３の外周面と、第２ノズル筒３１及び第３ノズル筒３２の内周面との間を流れ、吐出孔１１から外部に吐出される。
【００３３】
なお、図示の例では、ノズル筒１２は側面視Ｌ字状に形成されているが、この場合に限定されるものではなく、例えば貯留シリンダ１０から径方向外側に向けて延びたストレート状に形成されていても構わない。また、芯体３３の先端部に有頂筒状のノズルチップを装着し、内容物を例えば霧状に吐出させても構わない。
【００３４】
液用シリンダ１４は、筒状に形成され、容器本体Ａの口部Ａ１の内側に軸線Ｏと同軸に配設されている。液用シリンダ１４は、パッキン４０を介して容器本体Ａの口部Ａ１の上方開口端上に配置された環状のフランジ部４１と、フランジ部４１の内周縁部から下方に向けて延びた直筒部４２と、直筒部４２の下端部からさらに下方に向けて延びた吸込み筒部４３と、を備えている。
【００３５】
直筒部４２には、フランジ部４１よりも下方に位置する部分に、直筒部４２を径方向に貫通する第２空気孔４４が形成されている。これにより、容器本体Ａ内と液用シリンダ１４内とは、第２空気孔４４を通じて連通している。
直筒部４２と吸込み筒部４３との接続部分には、径方向内側に向けて突設された環状の下弁座部４５が形成されている。下弁座部４５の内側は、液用シリンダ１４内と容器本体Ａ内とを連通させる連通孔４６とされている。
【００３６】
吸込み筒部４３の内側には、容器本体Ａ内の内容物を吸い上げるチューブ体４７が嵌合されている。チューブ体４７は、例えば容器本体Ａの底部付近まで延び、上端部が下弁座部４５に対して下方から接触している。
【００３７】
直筒部４２内には、連通孔４６を開閉する下部弁体５０が配設されている。下部弁体５０は、液用シリンダ１４内の加圧時に連通孔４６を閉塞した状態に維持し、且つ液用シリンダ１４内の減圧時に連通孔４６を開放する逆止弁とされている。
下部弁体５０は、連通孔４６を開閉する弁本体５１と、下弁座部４５上に配設され、弁本体５１を支持する支持筒部５２と、弁本体５１の上方に配置されると共に支持筒部５２の上端部に連結された支持軸部５３と、を備えている。
【００３８】
支持筒部５２は、軸線Ｏと同軸に配置され、直筒部４２の内側に嵌合されている。
弁本体５１は、軸線Ｏと同軸に配置された平面視円板状に形成され、下弁座部４５に対して上方に離反可能に着座して連通孔４６を閉塞する下弁体５４と、下弁体５４と支持筒部５２との間に周方向に間隔をあけて配設され、支持筒部５２に対して下弁体５４を軸線Ｏ方向に弾性変位可能に支持する複数の弾性支持片５５と、を備えている。
【００３９】
弾性支持片５５は、内端部が下弁体５４の外周縁部に一体に接続され、且つ外端部が支持筒部５２の内周面に一体に接続されている。なお、弁本体５１は、弾性支持片５５を例えば３つ具備する３点弁とされている。
支持軸部５３は、例えば平面視十字状に形成されている。これにより、支持筒部５２内の空間と、液用シリンダ１４内において支持軸部５３よりも上方に位置する空間と、は互いに連通している。支持軸部５３には、ステム３を上方に付勢するコイルばね５６が外挿されている。
【００４０】
ステム３は、貯留シリンダ１０内及び液用シリンダ１４内に軸線Ｏと同軸に配設されている。ステム３は、コイルばね５６からのばね力（付勢力）を受けて上方付勢されていると共に、押下ヘッド５の押し下げ操作に伴って下方移動可能に配設されている。ステム３は、貯留筒部２０の内径及び直筒部４２の内径よりも外径が小さく、且つ後述する連係筒部７１の外径よりも内径が大きい筒状に形成されている。ステム３の内部は、貯留シリンダ１０内及び液用シリンダ１４内に連通している。
【００４１】
吐出ピストン１３は、ステム３に一体的に形成されている。吐出ピストン１３は、貯留筒部２０の内周面に対して上下摺動可能に接した吐出筒部５７と、ステム３の上端部から径方向外側に向かって突設され、吐出筒部５７に連結された環状の連結部５８と、を備えている。
吐出筒部５７は、上端部が連結部５８との接続部分から上方に向かうに従い漸次拡径し、且つ下端部が連結部５８との接続部分から下方に向かうに従い漸次拡径している。これにより、吐出ピストン１３は、貯留筒部２０の内周面に対して、その全周に亘って密に摺接している。
【００４２】
貯留シリンダ１０の頂壁部２２には、下方に向けて突出した規制片５９が周方向に間隔をあけて複数形成されている。そして、吐出ピストン１３の連結部５８は、規制片５９に対して下方から接触している。これにより、吐出ピストン１３及びステム３は、それ以上の上方移動が規制され、図１に示すように最上昇位置が位置決めされる。
【００４３】
吐出ピストン１３は、上述のようにステム３に一体的に形成されているので、ステム３に連係して上下動する。従って、ステム３と共に吐出ピストン１３が下方移動すると、図２に示すように貯留シリンダ１０内には吐出ピストン１３の上方に位置するように貯留空間Ｓが画成される。これにより、貯留空間Ｓを利用して、ステム３からの内容物を貯留シリンダ１０内に貯留することが可能となる。
なお、吐出ピストン１３は、ステム３と共に上方に復元移動すると、貯留空間Ｓ内に貯留された内容物を貯留シリンダ１０内から押し出すように、貫通孔２５を通じてノズル筒１２内に移送させる（図４参照）。
【００４４】
液用ピストン１５は、図１に示すように、軸線Ｏと同軸に配設されると共に、液用シリンダ１４の直筒部４２内に上下摺動可能に配設されている。
液用ピストン１５は、直筒部４２の内周面に対して上下摺動可能に接した液筒部６０と、ステム３の内側に嵌合され、その下端部が液筒部６０に連結された連結筒部６１と、を備えている。
【００４５】
連結筒部６１は、ステム３よりも下方に延びており、その下端部における外周面が液筒部６０における上下方向の中間部分に連結されている。
連結筒部６１の上方開口端は、連係筒部７１の下方開口端よりも下方に位置し、且つ連係筒部７１の下方開口端に対して隙間をあけて対向配置されている。なお、連結筒部６１の下方開口端は上弁座部６２として機能する。
【００４６】
液筒部６０は、上端部が連結筒部６１との接続部分から上方に向かうに従い漸次拡径し、且つ下端部が連結筒部６１との接続部分から下方に向かうに従い漸次拡径している。これにより、吐出ピストン１３は、直筒部４２の内周面に対して、その全周に亘って密に摺接している。
【００４７】
液用ピストン１５は、上述のように連結筒部６１がステム３に嵌合されているので、ステム３に連係して上下動する。従って、ステム３と共に液用ピストン１５が下方移動することで液用シリンダ１４内を加圧することができると共に、図２に示すように液用シリンダ１４内に吸い上げられている内容物を、ステム３内を通じて貯留シリンダ１０側に移送させることができる。
【００４８】
なお、液筒部６０は、図１に示すように、ステム３が最上昇位置に位置しているときに、直筒部４２に形成された第２空気孔４４を径方向内側から閉塞し、図２に示すようにステム３に伴って液用ピストン１５が下方移動したときに、第２空気孔４４を開放させる。これにより、ステム３が下降移動してから元の位置（最上昇位置）に復元移動するまでの間、容器本体Ａ内は第２空気孔４４及び第１空気孔２３を通じて外部に連通する。
【００４９】
図１に示すように、液用ピストン１５内には、上部弁体６５が軸線Ｏと同軸に配置された状態で上下動可能に配設されている。
上部弁体６５は、連結筒部６１の上弁座部６２に対して下方から着座する平面視円形状の上弁体６６と、上弁体６６から上方に向けて延び、連結筒部６１内に下方から挿通された挿入筒部６７と、を備えている。
【００５０】
挿入筒部６７は、連結筒部６１よりも上方に突出していると共に、連結筒部６１の内径よりも外径が小さく形成されている。そのため、挿入筒部６７と連結筒部６１との間には、環状の第１流通路Ｒ１が形成されている。
【００５１】
上弁体６６は、液筒部６０の内側に上下摺動可能に配設されていると共に、上弁座部６２に対して下方に離反可能に着座している。上弁体６６の外周縁部の一部には、上弁体６６を軸線Ｏ方向に貫通する流通孔６８が形成されている。
上弁体６６の中央部分には、下方に向けて突出した支持壁６９が形成されている。なお、支持壁６９は平面視十字状となるように形成されている。
【００５２】
上部弁体６５と下部弁体５０との間には、コイルばね５６が圧縮状態で配設されている。コイルばね５６は、下端部側が下部弁体５０の支持軸部５３に外挿され、且つ上端部側が支持壁６９に外挿されており、上部弁体６５と下部弁体５０とを軸線Ｏ方向に互いに離間させるように付勢している。
これにより、上部弁体６５はコイルばね５６によって上方に付勢され、上弁体６６は上弁座部６２に対して押し付けられた状態で着座している。
【００５３】
そのため、第１流通路Ｒ１内と液用シリンダ１４内とは、上弁体６６によって連通が遮断されている。一方、図３に示すように、コイルばね５６のばね力（付勢力）に抗して上部弁体６５が下方移動した場合には、上弁体６６が上弁座部６２から下方に離間するので、第１流通路Ｒ１内と液用シリンダ１４内とが流通孔６８を通じて連通する。
このように、上部弁体６５は、コイルばね５６のばね力を利用して第１流通路Ｒ１内と液用シリンダ１４内とを遮断し、且つ押下ヘッド５の押し下げ操作に伴う下方移動によって、第１流通路Ｒ１内と液用シリンダ１４内とを連通させる。
【００５４】
図１に示すように、押下ヘッド５は、頂壁部及び周壁部を有する有頂筒状のヘッド部７０と、ヘッド部７０の頂壁部から下方に向けて延びると共に、貯留シリンダ１０のガイド筒部２１内に上方から挿入された連係筒部７１と、を備えている。
ヘッド部７０は、貯留シリンダ１０の上方に、貯留シリンダ１０から一定の間隔（ストローク）をあけて配置されている。これにより、押下ヘッド５は一定のストローク分、押下げ操作可能とされている。
【００５５】
連係筒部７１は、ガイド筒部２１に上下動可能に支持されていると共に、ステム３内にも挿入されている。連係筒部７１の下端部は上部弁体６５の挿入筒部６７に外嵌されている。これにより、連係筒部７１及び上部弁体６５は一体に連結され、上部弁体６５は押下ヘッド５に伴って上下動可能とされている。
【００５６】
先に述べたように、ステム３の内径は連係筒部７１の外径よりも大きいので、連係筒部７１とステム３との間には環状の第２流通路Ｒ２が形成されている。そして、連係筒部７１の下方開口端と、液用ピストン１５における連結筒部６１の上方開口端との間には隙間が形成されている。これにより、第１流通路Ｒ１と第２流通路Ｒ２とは、この隙間を通じて互いに連通している。
【００５７】
連係筒部７１の下方開口端には、下方に向けて突出すると共に周方向に間隔をあけて配置された複数の突起片７２が形成されている。そのため、押下ヘッド５の押し下げによって連係筒部７１が下方移動しはじめると、図３に示すように突起片７２が連結筒部６１の上方開口端に上方から接触する。
なお、この場合であっても、第１流通路Ｒ１と第２流通路Ｒ２とは、周方向に隣り合う突起片７２同士の間を通じて互いに連通している。
【００５８】
また、上部弁体６５は連係筒部７１と共に下方移動するので、突起片７２が連結筒部６１の上方開口端に接触した際、上弁体６６が上弁座部６２から下方に向けて離反する。これにより、第１流通路Ｒ１内と液用シリンダ１４内とが流通孔６８を通じて連通する。そのため、液用シリンダ１４内は、第１流通路Ｒ１内及び第２流通路Ｒ２内を通じて貯留シリンダ１０内に連通する。
【００５９】
さらに、突起片７２が連結筒部６１の上方開口端に接触した後、押下ヘッド５の押し下げによって連係筒部７１がさらに下方移動すると、図２に示すように、突起片７２によって液用ピストン１５も押し下げられ、液用ピストン１５及びステム３が、押下ヘッド５及び上部弁体６５と一体となって下方移動する。
そのため、液用ピストン１５が液用シリンダ１４内を下方移動し、液用シリンダ１４の内容積が減少して内圧が上昇する（加圧される）。従って、下部弁体５０が連通孔４６を閉塞するので、液用シリンダ１４内の内容物を、第１流通路Ｒ１内及び第２流通路Ｒ２内を通じて貯留シリンダ１０側に供給することが可能となる。
【００６０】
なお、貯留シリンダ１０における貯留空間Ｓの内容積のうち、吐出ピストン１３の下方移動に伴って増加する増加容積は、液用シリンダ１４の内容積のうち液用ピストン１５の下方移動に伴って減少する容積分以上の容積となるように設定されている。
具体的には、例えば貯留筒部２０の外径や、貯留筒部２０の長さ（軸線Ｏ方向に沿った長さ）を変更することで、貯留シリンダ１０の内容積の調整を行うことが可能である。
【００６１】
（吐出器の使用）
次に、上述した吐出器１を使用する場合について説明する。なお、図１に示すように、液用シリンダ１４内には容器本体Ａ内から内容物が吸い上げられているものとする。
【００６２】
内容物を吐出する場合には、図３に示すように、ヘッド部７０をコイルばね５６のばね力に抗するように押下げ操作して、押下ヘッド５全体を下方移動させる。これにより、連係筒部７１がガイド筒部２１で支持されながら下方移動しはじめるので、突起片７２が液用ピストン１５の連結筒部６１の上方開口端に対して上方から接触する。また、連係筒部７１に伴って上部弁体６５が下方移動しはじめるので、上弁体６６が液用ピストン１５の上弁座部６２から下方に離間する。
従って、液用シリンダ１４内と第１流通路Ｒ１内とが流通孔６８を通じて連通した状態となる。
【００６３】
そして、押下ヘッド５のさらなる押下げ操作によって、突起片７２が液用ピストン１５を押下げるので、図２に示すように、押下ヘッド５及び上部弁体６５と共に、液用ピストン１５及びステム３を同時に下方移動させることができる。この際、上弁体６６が液用ピストン１５の上弁座部６２から下方に離間した状態を維持したまま、押下ヘッド５、上部弁体６５、液用ピストン１５及びステム３を下方移動させることができる。
【００６４】
すると、液用シリンダ１４内を液用ピストン１５が下方移動するので、液用シリンダ１４の内容積が徐々に減少して内圧が上昇する（加圧される）。これにより、下部弁体５０が連通孔４６を閉塞する。また、液用ピストン１５が液用シリンダ１４内の内容物を押し出すので、内容物を、ステム３内を通じて（具体的には、流通孔６８、第１流通路Ｒ１及び第２流通路Ｒ２を通じて）、貯留シリンダ１０側に供給することができる。
これにより、図２に示すように、ステム３からの内容物を、貯留空間Ｓを利用して貯留シリンダ１０内に一旦貯留することができる。
【００６５】
次いで、押下ヘッド５を例えばストローク分だけ押し下げてステム３を最下降位置まで下方移動させた後、押下ヘッド５の押下を解除すると、コイルばね５６の上方付勢力（弾性復元力）によって、上部弁体６５が押し上げられる。そのため、図４に示すように、上部弁体６５及び押下ヘッド５が上方に復元移動するので、液用シリンダ１４及びステム３に対して相対的に上方移動する。
よって、上部弁体６５の上弁体６６が液用ピストン１５の上弁座部６２に対して下方から着座すると共に、連係筒部７１の突起片７２が液用ピストン１５の連結筒部６１の上方開口端から上方に離間する。特に、上弁体６６が上弁座部６２に着座することで、液用シリンダ１４内と第１流通路Ｒ１内との連通が遮断される。
【００６６】
また、上弁体６６が上弁座部６２に着座することで、上部弁体６５及び押下ヘッド５と共に、液用ピストン１５及びステム３が一体となって上方に向けて復元移動する。
そのため、ステム３の復元移動に伴って、吐出ピストン１３が貯留シリンダ１０内を上方移動するので、貯留シリンダ１０内に貯留された内容物を貯留シリンダ１０内から押し出すように、貫通孔２５を通じてノズル筒１２内に供給することができる。これにより、吐出孔１１を通じて内容物を外部に吐出することができる。
【００６７】
また、液用ピストン１５が液用シリンダ１４内を上方移動することで、液用シリンダ１４内は減圧されて負圧状態となるので、下部弁体５０が連通孔４６を開放する。これにより、チューブ体４７を通じて、容器本体Ａ内の内容物を液用シリンダ１４内に吸い上げることができ、次回の吐出に備えることができる。
【００６８】
なお、ステム３及び液用ピストン１５が下方移動してから、元の位置に復元移動するまでの間、図２及び図４に示すように第２空気孔４４が開放されるので、容器本体Ａ内は第２空気孔４４及び第１空気孔２３を通じて外部に連通する。そのため、容器本体Ａ内の空気置換を行うことができ、容器本体Ａ内から液用シリンダ１４内に内容物を吸上げたとしても、容器本体Ａ内が減圧されてしまうことを防止できる。従って、押下ヘッド５のスムーズな復元移動、及び内容物のスムーズな吐出を行うことができる。
【００６９】
上述したように、本実施形態の吐出器１によれば、貯留シリンダ１０内に内容物を一旦貯留できるので、押下ヘッド５の押し下げ操作によってステム３を下方移動させたときに内容物が吐出されてしまうことを防止でき、その後、ステム３を上方に復元移動させたときに内容物を吐出させることができる。
従って、吐出された内容物を、片手だけでなく両手で受け取ることができる。さらに、例えば片手が何等かの理由で塞がっている場合（例えば子供を抱いている場合や、荷物を持っている場合等）であっても、もう一方の片手だけで、内容物の吐出操作（すなわち押下ヘッド５の押し下げ操作）及び吐出された内容物の受け取りを行うことができる。そのため、非常に使い易く、利便性を向上することができる。
【００７０】
また、本実施形態では、液用シリンダ１４及び液用ピストン１５を具備しているので、液用シリンダ１４内に吸上げた内容物を、貯留シリンダ１０内に貯留することができる。従って、一度の吐出操作で吐出される内容物の量を、液用シリンダ１４の内容積で規定し易く、例えば決まった量の内容物を吐出させ易い。
【００７１】
しかも、貯留シリンダ１０における貯留空間Ｓの内容積のうち吐出ピストン１３の下方移動に伴って増加する増加容積が、液用シリンダ１４の内容積のうち液用ピストン１５の下方移動に伴って減少する容積分以上の容積とされているので、ステム３を下方移動させた際に、貯留シリンダ１０の内容積を超える量の内容物が貯留シリンダ１０内に供給されることを防止することができる。
従って、ステム３の下方移動時に、貯留シリンダ１０内に内容物を確実に貯留でき、貯留シリンダ１０内からノズル筒１２内に内容物が流入し難い。そのため、ステム３の下方移動時に、内容物が吐出孔１１から漏れることを効果的に防止し易い。
【００７２】
更に、ノズル筒１２は固定部材である貯留シリンダ１０に一体に連結され、可動部材である押下ヘッド５とは別体構成とされている。そのため、ノズル筒１２を動かすことなく使用することができ、決まった位置に固定された吐出孔１１から内容物を吐出することができる。従って、吐出された内容物を受け取り易く、使い易さを向上することができる。
【００７３】
（第２実施形態）
次に、本発明に係る吐出器の第２実施形態について図面を参照して説明する。なお、この第２実施形態においては、第１実施形態における構成要素と同一の部分については、同一の符号を付しその説明を省略する。
【００７４】
図５及び図６に示すように、本実施形態の吐出器８０は、容器本体Ａの口部Ａ１に上方付勢状態で下方移動可能に配設される筒状のステム８１を有し、泡状の内容物を吐出するポンプ（吐出機構）８２を備えている。なお、図７及び図９では、泡状の内容物をハッチングによって図示している。
【００７５】
装着キャップ２の天壁部の内周縁部には、軸線Ｏ方向に延びた挿通筒部８３が全周に亘って形成されている。
【００７６】
ポンプ８２は、上記ステム８１と、ステム８１を上下動可能に収容すると共にステム８１内に連通し、ステム８１の下方移動に伴うステム８１からの内容物を貯留する貯留シリンダ９０と、貯留シリンダ９０内に連通し、且つその先端に内容物を吐出する吐出孔１１が形成されたノズル筒１２と、貯留シリンダ９０内に上下摺動可能に配設された吐出ピストン１３と、ステム８１を上下動可能に収容すると共にステム８１内に連通した液用シリンダ９１と、ステム８１に連係して上下動すると共に液用シリンダ９１内に上下摺動可能に配設された液用ピストン９２と、ステム８１に連係する空気用ピストン９３と、空気用ピストン９３が内部に上下摺動自在に収容された空気用シリンダ９４と、を備えている。
【００７７】
さらに、ステム８１には、液用シリンダ９１から供給される内容物と、空気用シリンダ９４から供給される空気と、を混合する気液混合室Ｒと、気液混合室Ｒで混合された気液混合体を発泡させて内容物を泡状にした状態で貯留シリンダ９０内に供給させる発泡部材９５と、を備えている。
【００７８】
貯留シリンダ９０は、軸線Ｏと同軸に配設された筒状に形成され、装着キャップ２に装着されている。
貯留シリンダ９０は、装着キャップ２における天壁部の上方に配置された貯留筒部１００と、貯留筒部１００よりも上方に配置され、且つ貯留筒部１００よりも径が小さいガイド筒部１０１と、貯留筒部１００の上端部とガイド筒部１０１の下端部とを接続する環状の頂壁部１０２と、貯留筒部１００を径方向外側から囲むと共に装着キャップ２の周壁部に外嵌された外郭筒部１０３と、を備えている。
【００７９】
外郭筒部１０３の上端部は、貯留筒部１００と頂壁部１０２との接続部分に一体に接続されている。これにより、貯留シリンダ９０は二重筒状に形成され、外郭筒部１０３を介して装着キャップ２に装着されている。
【００８０】
外郭筒部１０３のうち装着キャップ２の周壁部を囲んでいる部分の内周面には、軸線Ｏに沿った縦長の空気溝１０４が周方向に間隔をあけて複数形成されている。また、貯留筒部１００の下端部には、該貯留筒部１００を径方向に貫通する第３空気孔１０５が周方向に間隔をあけて複数形成されている。
これにより、貯留シリンダ９０内は、装着キャップ２の挿通筒部８３内に連通していると共に、第３空気孔１０５及び空気溝１０４を通じて貯留シリンダ９０の外部に連通している。
【００８１】
ガイド筒部１０１内には、後述する上ステム１１０が上下動可能に挿通されている。ガイド筒部１０１の上端部には、上ステム１１０の外周面に摺接する環状のスクレーパ部１０６が径方向内側に向けて突設されている。これにより、上ステム１１０とスクレーパ部１０６との間は密にシールされている。
なお、スクレーパ部１０６は、径方向内側に向かうにしたがって漸次下方に延びており、上ステム１１０の外周面に内容物が付着したとしても、付着した内容物をこすり落とす（扱き落とす）ことが可能とされている。そのため、上ステム１１０が貯留シリンダ１０内に入り込んだ後、上方に復元移動する際に、上ステム１１０の外周面に内容物が付着したまま貯留シリンダ１０の上方に復元移動することを防止し易い。
【００８２】
ノズル筒１２は、ガイド筒部１０１の外周面から径方向外側に向けて延びるように形成され、その一部は外郭筒部１０３及び貯留筒部１００に一体に形成されている。これにより、貯留筒部１００内とノズル筒１２内とは、互いに連通している。なお、ノズル筒１２は装着キャップ２よりも径方向外側に突出している。
【００８３】
液用シリンダ９１及び空気用シリンダ９４は、それぞれ円筒状に形成され、軸線Ｏと同軸に配置されている。図示の例では液用シリンダ９１の上端開口部と空気用シリンダ９４の下端開口部とが一体に連設され、液用シリンダ９１及び空気用シリンダ９４は一体に形成されている。
【００８４】
詳細には、空気用シリンダ９４は、有底筒状に形成され、その底部に液用シリンダ９１が空気用シリンダ９４の内部と連通した状態で連結されている。つまり、大径の空気用シリンダ９４の下側に小径の液用シリンダ９１が連設されている。
但し、液用シリンダ９１と空気用シリンダ９４とをそれぞれ別体に構成したうえで、例えば、両者を係止する等して繋げても構わない。
【００８５】
空気用シリンダ９４の上端開口部は、装着キャップ２の周壁部及び天壁部の内面にそれぞれ密着した状態で固定されている。これにより、液用シリンダ９１及び空気用シリンダ９４は、装着キャップ２から垂下した状態で容器本体Ａの内部に配設されている。
【００８６】
空気用シリンダ９４の上端部は、パッキン４０を介して容器本体Ａの口部Ａ１の開口端縁上に配置されている。また、空気用シリンダ９４の上端部側には、該空気用シリンダ９４を径方向に貫通し、空気用シリンダ９４内と容器本体Ａ内とを連通する第４空気孔１０７が形成されている。
液用シリンダ９１の下端部には、容器本体Ａ内の内容物を液用シリンダ９１内に吸い上げるチューブ体４７が取り付けられている。
【００８７】
ステム８１は、主に貯留シリンダ９０内に上下動可能に収容された上ステム１１０と、主に空気用シリンダ９４内及び液用シリンダ９１内に上下動可能に収容された下ステム１２０と、を備えている。
【００８８】
上ステム１１０は、軸線Ｏと同軸上に配設された筒状に形成され、貯留シリンダ９０のガイド筒部１０１内に挿通されて上下動可能に支持されていると共に、装着キャップ２の挿通筒部８３の内側に挿入されている。上ステム１１０の外径は、挿通筒部８３の内径よりも小さく形成されている。これにより、上ステム１１０と挿通筒部８３との間には、環状の隙間が形成されている。
【００８９】
上ステム１１０における上下方向の略中間部分には、上ステム１１０の内部を上下に仕切る仕切板１１１が形成されている。上ステム１１０のうち、仕切板１１１よりも上方に位置する部分は、ガイド筒部１０１よりも上方に突出している。
【００９０】
上ステム１１０には、仕切板１１１よりも下方に位置する部分に上ステム１１０を径方向に貫通する流通孔１１２が周方向に間隔をあけて複数形成されている。流通孔１１２は、上ステム１１０の内部空間のうち仕切板１１１よりも下方に位置する空間と、貯留シリンダ９０内（具体的には、貯留筒部１００内）とを連通している。これにより、貯留シリンダ９０内と上ステム１１０内とは、流通孔１１２を通じて連通している。
【００９１】
吐出ピストン１３は、上ステム１１０に一体的に形成されている。
吐出ピストン１３は、貯留筒部１００の内周面に対して上下摺動可能に接した吐出筒部５７と、上ステム１１０のうち流通孔１１２よりも下方に位置する部分から径方向外側に向かって突設され、吐出筒部５７に連結された環状の連結部５８と、を備えている。
これにより、吐出ピストン１３は、貯留筒部１００の内周面に対して、その全周に亘って密に摺接している。
【００９２】
吐出ピストン１３は、上述のように上ステム１１０に一体的に形成されているので、上ステム１１０に連係して上下動する。従って、上ステム１１０と共に吐出ピストン１３が下方移動すると、図７に示すように貯留シリンダ９０内には、吐出ピストン１３の上方に位置するように貯留空間Ｓが画成される。これにより、貯留空間Ｓを利用して、上ステム１１０からの内容物を貯留シリンダ９０内に貯留することが可能となる。
なお、吐出ピストン１３は、上ステム１１０と共に上方に復元移動すると、貯留空間Ｓ内に貯留された内容物を貯留シリンダ９０内から押し出すように、ノズル筒１２内に移送させる（図９参照）。
【００９３】
図５及び図６に示すように、上ステム１１０内には発泡部材９５が配設されている。
発泡部材９５は、流通孔１１２よりも下方に位置する部分に配設され、筒状のケーシング１３０と、ケーシング１３０内に装着された２つの発泡エレメント１３１と、を備えている。
【００９４】
ケーシング１３０は、上側が大径部１３０ａ、下側が小径部１３０ｂとされた２段円筒状に形成されている。ケーシング１３０は、大径部１３０ａが上ステム１１０の内側に嵌合されることで、上ステム１１０に一体に固定されている。小径部１３０ｂの外周面には、その下端から上方に延びて大径部１３０ａの底部外表面に至り、さらにその径方向外側に向けて延在して開口した複数のケーシング溝１３２が形成されている。
【００９５】
なお、上ステム１１０の内周面のうち、仕切板１１１とケーシング１３０との間に位置する部分には、径方向内側に突出すると共に周方向に間隔をあけて配置された複数の縦リブ１１３が形成されている。ケーシング１３０は、この縦リブ１１３によって上方への抜け止めがされている。
【００９６】
発泡エレメント１３１は、筒体１３５の一端開口端に、所定の網目が形成されたメッシュ部材１３６が張設された構成とされ、上下に２段に重なった状態（粗さの異なるメッシュを重ねた状態）で大径部１３０ａの内側に装着されている。
この際、２つの発泡エレメント１３１のうち、ケーシング１３０内の下側に位置する発泡エレメント１３１はメッシュ部材１３６が下側を向き、ケーシング１３０内の上側に位置する発泡エレメント１３１はメッシュ部材１３６が上側を向くように配置されている。
【００９７】
下ステム１２０は、軸線Ｏと同軸上に配設された筒状に形成され、その上端部は発泡部材９５におけるケーシング１３０の小径部１３０ｂに外嵌されている。これにより、上ステム１１０と下ステム１２０とは、発泡部材９５を介して一体に連結されている。
【００９８】
なお、上ステム１１０の内周面において、下ステム１２０の上端部に対して径方向に対向する部分には、上下方向に延在し、且つ下方に開口した縦溝１１４が周方向に間隔をあけて複数形成されている。縦溝１１４は、下ステム１２０の上方開口縁を径方向に跨いで、発泡部材９５のケーシング１３０に形成された複数のケーシング溝１３２に連通している。
【００９９】
また、上ステム１１０の内周面のうち、縦溝１１４よりも下方に位置する部分には、下方に向かうにしたがって漸次径方向外側に傾斜した環状のテーパ面１１５が形成されている。さらに、上ステム１１０のうち、テーパ面１１５よりも下方に延びた部分は、空気用ピストン９３の後述する内筒１４１を径方向外側から囲み、且つ内筒１４１に対して摺接する外側摺接部１１６とされている。
【０１００】
下ステム１２０には、液用ピストン９２と発泡部材９５との間に位置する部分に、径方向内側に向けて円環状の弁座１２１が突設されている。弁座１２１と発泡部材９５との間には、弁座１２１に離反可能に着座する球状の液吐出弁１２２が設けられている。下ステム１２０の内部において、発泡部材９５と弁座１２１との間の空間が気液混合室Ｒとされている。
【０１０１】
下ステム１２０の外周面において、空気用ピストン９３の後述する内筒１４１が配設される部分には、上下方向に延在し、且つ上記縦溝１１４に連通するステム溝１２３が周方向に間隔をあけて複数形成されている。
下ステム１２０のステム溝１２３、上ステム１１０の縦溝１１４、及び発泡部材９５のケーシング溝１３２は、空気用シリンダ９４内と気液混合室Ｒ内とを連通する空気通路１２４を構成する。
【０１０２】
また、下ステム１２０の外周面には、複数のステム溝１２３の下端が位置する部分に、径方向外側に向けて張り出して、空気用ピストン９３の内筒１４１の下端に下方から当接するフランジ状の当接部１２５が形成されている。これにより、当接部１２５は、空気通路１２４を通した気液混合室Ｒ内と空気用シリンダ９４内との連通を遮断している。
【０１０３】
空気用ピストン９３は、軸線Ｏと同軸に配置された状態で、空気用シリンダ９４内に上下摺動可能に配設されている。空気用ピストン９３は、空気用シリンダ９４の内側に配設された外筒１４０と、外筒１４０の内側に配置された内筒１４１と、外筒１４０の上端部と内筒１４１の外周面とを連結し、軸線Ｏ方向に段付き状に形成された連結板部１４２と、を備えている。
【０１０４】
内筒１４１は、上下に開口した筒状に形成され、その内側には下ステム１２０が上下動可能に挿入されている。内筒１４１の上端部には、上ステム１１０の外側摺接部１１６に摺接する内側摺接部１４３が内筒１４１の全周に亘って形成されている。外筒１４０の下端部には、空気用シリンダ９４の内周面に摺接する環状の空気筒部１４４が形成されている。
【０１０５】
なお、内側摺接部１４３の上端縁と上ステム１１０のテーパ面１１５との間には、軸線Ｏ方向に隙間が形成されている。また、上ステム１１０の外側摺接部１１６の下端縁と連結板部１４２との間にも、軸線Ｏ方向に隙間が設けられている。
これにより、テーパ面１１５が内側摺接部１４３に対して接触するまで、空気用ピストン９３に対する上ステム１１０の下方移動が許容されている。
【０１０６】
連結板部１４２には、空気用ピストン９３の内部と外部とを連通する第５空気孔１４５が形成されている。内筒１４１の外周面には、第５空気孔１４５を開放自在に閉塞する筒状の外気導入弁１４６が嵌合されている。外気導入弁１４６は、連結板部１４２に対して離反自在に着座することで、第５空気孔１４５を開放自在に閉塞する可動弁１４６ａを備えている。
空気筒部１４４は、押下ヘッド５の押し下げ操作前、空気用シリンダ９４に形成された第４空気孔１０７を径方向内側から閉塞している。
【０１０７】
液用ピストン９２は、下ステム１２０の内側に嵌合された連結筒部１５０と、連結筒部１５０に接続されると共に、下ステム１２０よりも下方に配置され、且つ液用シリンダ９１の内周面に摺接する液筒部１５１と、を備えている。
【０１０８】
液用ピストン９２及び液用シリンダ９１の内部には、上端部が中空逆円錐状に形成された上部弁体１６１とされ、下端部が液用シリンダ９１内の下方開口部に着座及び離反可能な下部弁体１６２とされた棒状の弁部材１６０が設けられている。
【０１０９】
上部弁体１６１は、液用シリンダ９１内と下ステム１２０内との連通及びその遮断を切替える切換弁とされ、液用ピストン９２における連結筒部１５０の上方開口端に対して上方から離反自在に着座している。なお、液用ピストン９２と液用シリンダ９１との間には、コイルばね５６が圧縮状態で配設されている。コイルばね５６は、液用ピストン９２を上方付勢状態で下方移動可能に支持している。
【０１１０】
押下ヘッド５は、ヘッド部７０及び連係筒部７１を備え、連係筒部７１が上ステム１１０の上端部の内側に嵌合されている。これにより、本実施形態の押下ヘッド５は、ステム８１に対して直接連結されている。
【０１１１】
なお、本実施形態では、貯留シリンダ９０における貯留空間Ｓの内容積のうち、吐出ピストン１３の下方移動に伴って増加する増加容積が、空気用シリンダ９４の内容積のうち空気用ピストン９３の下方移動に伴って減少する容積分以上の容積となるように、貯留シリンダ９０は設計されている。
【０１１２】
（吐出器の使用）
次に、上述したように構成された吐出器８０を使用する場合について説明する。なお、液用シリンダ９１内には容器本体Ａ内から内容物が吸い上げられているものとする。
【０１１３】
内容物を吐出する場合には、図８に示すように、ヘッド部７０をコイルばね５６のばね力に抗するように押下げ操作して、押下ヘッド５全体を下方移動させる。これにより、上ステム１１０が下方移動するので、これに伴って、発泡部材９５、下ステム１２０及び液用ピストン９２が下方移動する。
【０１１４】
上ステム１１０及び下ステム１２０が下方移動すると、上ステム１１０の外側摺接部１１６が空気用ピストン９３の内筒１４１の内側摺接部１４３に摺動しながら、空気用ピストン９３に対して下方移動する。そのため、空気用ピストン９３に対して上ステム１１０及び下ステム１２０を下方移動させることができる。
【０１１５】
従って、下ステム１２０の下方移動に伴って、下ステム１２０の当接部１２５が空気用ピストン９３における内筒１４１の下方開口端から下方に離間する。これにより、気液混合室Ｒ内と空気用シリンダ９４内とを、空気通路１２４を通じて連通させることができる。このとき、外気導入弁１４６の可動弁１４６ａは、空気用シリンダ９４の連結板部１４２に下方から着座しており、第５空気孔１４５を閉塞している。
これらのことにより、空気用シリンダ９４内の空気を、空気通路１２４を通して気液混合室Ｒ内に供給することができる。
【０１１６】
また、上述した過程において、液用ピストン９２の下方移動に伴って弁部材１６０も下方移動する。そのため、弁部材１６０の下部弁体１６２が液用シリンダ９１の下方開口部に着座して、下方開口部を閉塞する。また、液用ピストン９２のさらなる下方移動によって、液用ピストン９２の上端部が弁部材１６０の上部弁体１６１から下方に離反する。これにより、液用シリンダ９１内と下ステム１２０内とが連通する。
【０１１７】
そして、押下ヘッド５のさらなる押し下げ操作によって上ステム１１０及び下ステム１２０が下方移動すると、空気用ピストン９３における内筒１４１の内側摺接部１４３が上ステム１１０のテーパ面１１５によって押下げられる。
よって、これ以降、図７に示すように、空気用シリンダ９４内と気液混合室Ｒ内とを連通させた状態を維持したまま、空気用ピストン９３を上ステム１１０と共に下方移動させることができる。また、液用ピストン９２は、下ステム１２０と共に引き続き下方移動する。
【０１１８】
そして、液用ピストン９２が液用シリンダ９１内を下方移動することで、液用シリンダ９１内の内圧が上昇するので、液吐出弁１２２を弁座１２１から離反させることができ、液用シリンダ９１内の内容物を気液混合室Ｒ内に供給することができる。
【０１１９】
従って、気液混合室Ｒ内で内容物と空気とを合流させて、気液混合体にすることができる。すると、気液混合体は、小径部１３０ｂから発泡部材９５の内部に流れ込んで発泡すると共に、２つの発泡エレメント１３１のメッシュ部材１３６を通過することで、きめの細かい所定の泡状となる。この泡状となった内容物は、流通孔１１２を通じて貯留シリンダ９０内に供給される。これにより、貯留空間Ｓを利用して、貯留シリンダ９０内に泡状の内容物を一旦貯留することができる。
【０１２０】
次いで、図９に示すように、押下ヘッド５の押下を解除すると、コイルばね５６の上方付勢力（弾性復元力）によって、液用ピストン９２が押し上げられるので、液用ピストン９２、下ステム１２０、上ステム１１０及び発泡部材９５が上方に復元移動する。
その過程において、下ステム１２０の当接部１２５が空気用ピストン９３の内筒１４１の下方開口端に対して下方から接触するので、これ以降、空気用ピストン９３も上方に復元移動する。特に、当接部１２５が内筒１４１の下方開口端に接触することで、空気用シリンダ９４内と気液混合室Ｒ内との連通が遮断される。
【０１２１】
そして、上ステム１１０の復元移動に伴って、吐出ピストン１３が貯留シリンダ９０内を上方移動するので、貯留シリンダ９０内に貯留された泡状の内容物を貯留シリンダ９０内から押し出すようにノズル筒１２内に供給する。これにより、吐出孔１１を通じて泡状の内容物を外部に吐出することができる。
【０１２２】
また、空気用ピストン９３が上方移動することで、空気用シリンダ９４内が減圧されて負圧状態となるので、外気導入弁１４６の可動弁１４６ａが開弁して、第５空気孔１４５を開放する。これにより、第５空気孔１４５、装着キャップ２の挿通筒部８３の内側、第３空気孔１０５及び空気溝１０４を通じて、空気用シリンダ９４内に外気を導入することができる。なお、空気用シリンダ９４の内圧が吐出前の状態に戻ると、外気導入弁１４６の可動弁１４６ａが閉弁して第５空気孔１４５を閉塞する。
【０１２３】
また、液用ピストン９２が液用シリンダ９１内を上方移動することで、液用シリンダ９１内は減圧されて負圧状態となるので、チューブ体４７を通じて、容器本体Ａ内の内容物を液用シリンダ９１内に吸い上げることができ、次回の吐出に備えることができる。
【０１２４】
なお、空気用ピストン９３が下方移動してから、元の位置に復元移動するまでの間、図７に示すように、第４空気孔１０７が開放されるので、容器本体Ａ内は、第４空気孔１０７、装着キャップ２の挿通筒部８３の内側、第３空気孔１０５及び空気溝１０４を通じて外部に連通する。そのため、容器本体Ａ内の空気置換を行うことができ、容器本体Ａ内から液用シリンダ９１内に内容物を吸上げたとしても、容器本体Ａ内が減圧されてしまうことを防止できる。従って、押下ヘッド５のスムーズな復元移動、及び内容物のスムーズな吐出を行うことができる。
【０１２５】
上述したように、本実施形態の吐出器８０であっても、貯留シリンダ９０内に泡状の内容物を一旦貯留できるので、押下ヘッド５の押し下げ操作によってステム８１を下方移動させたときに泡状の内容物が吐出されることを防止でき、その後、ステム８１を上方に復元移動させたときに泡状の内容物を吐出させることができる。
従って、第１実施形態と同様に、泡状の内容物を片手だけでなく両手で受け取ることができると共に、例えば片手が何等かの理由で塞がっている場合であっても、もう一方の片手だけで内容物の吐出操作及び泡状に吐出された内容物の受け取りを行うことができる。
また、本実施形態の場合であっても、ノズル筒１２を動かすことなく使用することができるので、決まった位置に固定された吐出孔１１から泡状の内容物を吐出することができ、使い易い。
【０１２６】
また、本実施形態の場合であっても、貯留シリンダ９０における貯留空間Ｓの内容積のうち、吐出ピストン１３の下方移動に伴って増加する増加容積が、空気用シリンダ９４の内容積のうち空気用ピストン９３の下方移動に伴って減少する容積分以上の容積とされているので、ステム８１を下方移動させた際に、貯留シリンダ９０の内容積を超える量の空気が気液混合室Ｒを経由して貯留シリンダ９０内に供給されることを防止することができる。
従って、図７に示すように、ステム８１の下方移動時に、貯留シリンダ９０内に泡状の内容物を確実に貯留でき、貯留シリンダ９０内からノズル筒１２内に泡状の内容物が流入し難い。そのため、ステム８１の下方移動時に、泡状の内容物が吐出孔１１から漏れることを効果的に防止し易い。
【０１２７】
（第３実施形態）
次に、本発明に係る吐出器の第３実施形態について図面を参照して説明する。なお、この第３実施形態においては、第１実施形態における構成要素と同一の部分については、同一の符号を付しその説明を省略する。
【０１２８】
図１０に示すように、本実施形態の吐出器１７０は、ノズル筒１２内を開閉する開閉弁１７１を備えている。
本実施形態の第１ノズル筒３０は、貯留シリンダ１０側に位置する基端ノズル筒１７２と、第２ノズル筒３１側に位置し、その内側に第２ノズル筒３１が嵌合された先端ノズル筒１７３と、を備えた２段筒状に形成されている。
先端ノズル筒１７３は、基端ノズル筒１７２よりも外径及び内径が大きく形成されている。これにより、第１ノズル筒３０内には、基端ノズル筒１７２と先端ノズル筒１７３との接続部分において、径方向外側を向いた環状の段差面１７４が形成されている。
【０１２９】
開閉弁１７１は、第１ノズル筒３０内に配設されている。具体的には、開閉弁１７１は先端ノズル筒１７３内において、第２ノズル筒３１と段差面１７４との間に位置するように配設されている。
開閉弁１７１は、先端ノズル筒１７３の内側に嵌合された筒体１７５と、筒体１７５に対して回動自在に連結され、段差面１７４に離反自在に着座された円板状の回動弁１７６と、を備えている。
【０１３０】
回動弁１７６は、段差面１７４の全周に亘って径方向外側から離反自在に着座することで、基端ノズル筒１７２内を閉塞している。回動弁１７６は、外周縁部の一部が筒体１７５の内周面に一体に接続されており、この接続部分を中心に径方向外側に回動することで、基端ノズル筒１７２内を開放させる。
【０１３１】
なお、本実施形態の吐出器１７０は、第１実施形態における下部弁体５０を具備していない。そのため、コイルばね５６は、上部弁体６５の上弁体６６と液用シリンダ１４との間に配設されている。
【０１３２】
（吐出器の作用）
本実施形態の吐出器１７０によれば、第１実施形態と同様の作用効果を奏功することができることに加え、開閉弁１７１を備えているので吐出孔１１から内容物が漏出することをさらに効果的に防止することができる。
【０１３３】
具体的には、図１１に示すように、押下ヘッド５を押し下げ操作した場合には、貯留シリンダ１０内に負圧化された貯留空間Ｓを形成することができる。そのため、貯留シリンダ１０内の負圧を利用して、図１１に示す矢印のように回動弁１７６を段差面１７４側に引き寄せることができ、段差面１７４に対して密に接触させることができる。これにより、貯留シリンダ１０内に内容物を貯留する間、開閉弁１７１を利用して基端ノズル筒１７２内を閉塞できる。
そのため、押下ヘッド５の押し下げ操作時に、内容物が吐出孔１１から外部に漏れてしまうことを効果的に防止することができる。
【０１３４】
そして、図１２に示すように、押下ヘッド５の押し下げを解除して、ステム３を上方に復元移動させる場合には、吐出ピストン１３が貯留シリンダ１０内に貯留された内容物を貯留シリンダ１０内から押し出すので、図１２に示す矢印のように回動弁１７６を回動させて、段差面１７４から離反させることができる。これにより、吐出孔１１から内容物を外部に吐出することができる。
このように、開閉弁１７１を具備するので、意図しない時に内容物が漏出することを防止できる。
【０１３５】
なお、本実施形態では第１実施形態における下部弁体５０を備えていないが、押下ヘッド５を押し下げ操作した際、貯留シリンダ１０内の負圧（減圧）を利用して、液用シリンダ１４内の内容物を貯留シリンダ１０側に移送させることができる。つまり、本実施形態では、第１実施形態及び第２実施形態とは異なり、液用シリンダ１４内を減圧させて内容物を貯留シリンダ１０側に供給することができる。
このように、下部弁体５０を具備しなくても、貯留シリンダ１０内に内容物を貯留することができるので、第１実施形態と同様の作用効果を奏功することができる。
なお、押下ヘッド５の押し下げ解除に伴って液用ピストン１５が上方に復元移動することで、液用シリンダ１４内に容器本体Ａから内容物を吸上げることができ、次回の吐出に備えることができる。
【０１３６】
（第４実施形態）
次に、本発明に係る吐出器の第４実施形態について図面を参照して説明する。なお、この第４実施形態においては、第１実施形態における構成要素と同一の部分については、同一の符号を付しその説明を省略する。
【０１３７】
図１３に示すように、本実施形態の吐出器１８０は、ノズル筒１２が押下ヘッド５に連結され、連係筒部７１の内部を通じて貯留シリンダ１０内に連通している。
本実施形態のノズル筒１２は、第１ノズル筒３０を具備せず、第２ノズル筒３１がヘッド部７０から径方向外側に延びるように、ヘッド部７０に一体的に形成されている。第２ノズル筒３１の基端部は、連係筒部７１に接続され、その内部は連係筒部７１内に連通している。
【０１３８】
上部弁体６５の挿入筒部６７には、連係筒部７１よりも下方に位置する部分に、挿入筒部６７を径方向に貫通する流通孔１８１が周方向に間隔をあけて複数形成されている。
これにより、ノズル筒１２内と貯留シリンダ１０内とは、連係筒部７１内、挿入筒部６７内、流通孔１８１及び第２流通路Ｒ２内を通じて連通している。
【０１３９】
さらに、連係筒部７１内には、ステム３の下方移動時にノズル筒１２内と貯留シリンダ１０内との連通を遮断し、且つステム３の上方移動時にノズル筒１２内と貯留シリンダ１０内との連通を許容する弁体１８２が設けられている。
弁体１８２は例えば球状に形成され、上部弁体６５における挿入筒部６７の上方開口端に、上方に離反可能に着座している。
【０１４０】
なお、本実施形態の吐出器１８０は、第３実施形態と同様に、第１実施形態における下部弁体５０を具備していない。
【０１４１】
（吐出器の作用）
本実施形態の吐出器１８０によれば、ノズル筒１２の位置が異なるだけで、第１実施形態と同様の作用効果を奏功することができる。
具体的には、図１４に示すように、押下ヘッド５を押し下げ操作した場合には、貯留シリンダ１０内に負圧化された貯留空間Ｓを形成することができる。そのため、貯留シリンダ１０内の負圧を利用して、図１４に示す矢印のように弁体１８２を挿入筒部６７側に引き寄せることができ、挿入筒部６７の上方開口端に対して密に接触させることができる。
【０１４２】
これにより、貯留シリンダ１０内に内容物を貯留する間、内容物が連係筒部７１内を通じてノズル筒１２側に供給されてしまうことを防止できる。
そのため、押下ヘッド５の押し下げ操作時に、内容物を確実に貯留シリンダ１０内に導くことができ、貯留シリンダ１０内に内容物を貯留することができる。
【０１４３】
そして、図１５に示すように、押下ヘッド５の押し下げを解除して、ステム３を上方に復元移動させる場合には、吐出ピストン１３が貯留シリンダ１０内に貯留された内容物を貯留シリンダ１０内から押し出すので、内容物を、第２流通路Ｒ２及び流通孔１８１を通じて挿入筒部６７内に導き、図１５に示す矢印のように弁体１８２を押し上げながら、連係筒部７１内を通じてノズル筒１２内に供給することができる。
これにより、吐出孔１１から内容物を外部に吐出することができる。従って、本実施形態の場合であっても、第１実施形態と同様の作用効果を奏功することができる。
【０１４４】
なお、本実施形態の場合には、ノズル筒１２がヘッド部７０と一体とされているので、例えばヘッド部７０の押し下げ操作を行った手を、押し下げの解除後、吐出孔１１の近辺に速やかに差し伸べ易い。つまり、ノズル筒１２とヘッド部７０とが一体となっているので、ヘッド部７０の押し下げ操作と、ヘッド部７０の押し下げの解除操作と、吐出孔１１への手の差し出し操作と、吐出孔１１からの内容物の受け取り操作と、を一連の流れでスムーズに行うことができ、同様に使用し易い。
【０１４５】
なお、本発明の技術的範囲は前記実施形態に限定されるものではなく、本発明の趣旨を逸脱しない範囲において種々の変更を加えることが可能である。
【０１４６】
例えば、上記実施形態では、吐出機構として液用シリンダ及び液用ピストンを具備するポンプ機構を採用したが、この場合に限定されるものではない。例えば、容器本体内に内容物が圧縮された状態で充填され、ステムを押し下げることで内容物がステムから噴出するエアゾール機構を採用しても構わない。この場合であっても、貯留シリンダ内にステムからの内容物を一旦貯留できるので、本実施形態と同様の作用効果を奏功することができる。
【０１４７】
その他、本発明の趣旨に逸脱しない範囲で、前記実施形態における構成要素を周知の構成要素に置き換えることは適宜可能であり、また、前記した変形例を適宜組み合わせてもよい。
【符号の説明】
【０１４８】
Ａ…容器本体
Ａ１…容器本体の口部
Ｒ…気液混合室
１、８０、１７０、１８０…吐出器
３、８１…ステム
１０、９０…貯留シリンダ
１１…吐出孔
１２…ノズル筒
１３…吐出ピストン
１４、９１…液用シリンダ
１５、９２…液用ピストン
９３…空気用ピストン
９４…空気用シリンダ
９５…発泡部材
【図１】
0006663788.tif 000002
【図２】
0006663788.tif 000003
【図３】
0006663788.tif 000004
【図４】
0006663788.tif 000005
【図５】
0006663788.tif 000006
【図６】
0006663788.tif 000007
【図７】
0006663788.tif 000008
【図８】
0006663788.tif 000009
【図９】
0006663788.tif 000010
【図１０】
0006663788.tif 000011
【図１１】
0006663788.tif 000012
【図１２】
0006663788.tif 000013
【図１３】
0006663788.tif 000014
【図１４】
0006663788.tif 000015
【図１５】
0006663788.tif 000016